(57)【要約】【課題】  車両が一つの信号機から情報を取得している途中に通り過ぎてしまった場合でも情報を完全に得ることができ、また、歩行者や自転車や車椅子や車両が安全に通ることができる交通システムを提供する。【解決手段】  信号機の情報を信号機２０，２１，２２，２３と車両１８との間で光通信を利用して車両に送る交通システムであって、車両１８は、複数の信号機から光通信を行う一つの信号機を選択する信号機選択手段と、複数の信号機のうちの一つの信号機との光通信を行うための車載光信号送受信手段とを備え、信号機２０，２１，２２，２３は、信号機情報を信号機から発せられる光にのせる光変調手段とを備える。【選択図】  図１
2007079722.tif 000002
【特許請求の範囲】
【請求項１】
信号機の情報を前記信号機と車両との間で光通信を利用して前記車両に送る交通システムであって、
前記車両は、前記複数の信号機から光通信を行う一つの信号機を選択する信号機選択手段と、前記複数の信号機のうちの一つの信号機との光通信を行うための車載光信号送受信手段とを備え、
前記信号機は、前記信号機情報を信号機から発せられる光にのせる光変調手段とを備えることを特徴とする交通システム。
【請求項２】
前記信号機選択手段は、前記車両が進行方向前の信号機との通信が未完了のとき、通過後の後方の信号機を選択することを特徴とする請求項１記載の交通システム。
【請求項３】
前記信号機選択手段は、前記車両から前方に複数の信号が見えるとき、カーナビゲーション装置のデータを利用して直近の信号機を選択することを特徴とする請求項１または２記載の交通システム。
【請求項４】
前記信号機情報は、信号点灯時間であり、前記車両は、車速と前記信号点灯時間に基づいて、安全に通過できるかどうかを判断する判断手段を備えたことを特徴とする請求項１〜３のいずれか１項に記載の交通システム。
【請求項５】
前記信号機情報は、前記信号機の緯度経度であることを特徴とする請求項１〜３のいずれか１項に記載の交通システム。
【請求項６】
前記信号機情報は、位置情報または方向情報であることを特徴とする請求項１〜３のいずれか１項に記載の交通システム。
【請求項７】
前記信号機情報は、前記走行レーン毎の車種、制限速度情報であることを特徴とする請求項１〜３のいずれか１項に記載の交通システム。
【請求項８】
情報を前記信号機と車両との間で光通信を利用して前記車両に送る交通システムであって、
前記車両は、前記複数の信号機から光通信を行う一つの信号機を選択する信号機選択手段と、前記複数の信号機のうちの一つの信号機との光通信を行うための車載光信号送受信手段とを備え、
前記信号機は、横断歩道通行中の歩行者を検知する歩行者情報検知手段と、前記歩行者情報検知手段で検知した前記歩行者情報を信号機から発せられる光にのせる光変調手段と、前記車両からの光信号を受信する光信号受信手段とを備えることを特徴とする交通システム。
【請求項９】
車両の情報を信号機を経由して歩行者、視覚障害者に通知する交通システムであって、  前記車両は、ハンドル操作を検出するハンドル操作検出手段と、前記ハンドル操作検出手段により検出されたハンドル操作情報を無線で信号機に送信するハンドル操作情報送信手段とを備え、
前記信号機は、前記車両から送信された前記ハンドル操作情報を受信するハンドル操作情報受信手段と、前記ハンドル操作情報受信手段で受信された前記ハンドル操作情報を前記歩行者、視覚障害者に知らせる車両情報通知手段を備えたことを特徴とする交通システム。
【請求項１０】
自転車、歩行者、車椅子の存在を車両の運転者に通知する交通システムであって、
前記自転車、前記歩行者、前記車椅子は、その存在情報を発する存在通知発信手段を備え、前記車両は、前記存在通知発信手段から送られた前記存在情報を受信する存在情報受信手段を備えたことを特徴とする交通システム。
【請求項１１】
合流点で合流車がある場合には、車両に通知する交通システムであって、
前記合流点には、合流車両を検知する合流車両検知手段と、前記合流車両検知手段で検知された合流車両情報を送信する合流車両情報送信手段とを設け、
前記車両は、前記合流車両情報を受信する合流車両受信手段を備えたことを特徴とする交通システム。
【発明の詳細な説明】
【技術分野】
【０００１】
本発明は交通システムに関し、特に、車両と歩行者と信号機あるいは路上に設置された装置との間での通信を利用した交通システムに関するものである。
【背景技術】
【０００２】
従来の交通システムは、信号機の発光器の点灯状態を車両に乗っている運転者や、歩行者が目で見て確認することにより、道路を通行するというものであった。車両用信号機の発光器の点灯状態は、青色発光器の点灯、黄色発光器の点灯、赤色発光器の点灯の３種類があり、点灯状態によりそれぞれ、「進め」、「注意」、「止まれ」の情報に対応している。また、歩行者用信号機の発光器の点灯状態は、青色発光器の点灯、青色発光器の点滅、赤色発光器の点灯の３種類があり、それらの状態によりそれぞれ「進め」、「注意」、「止まれ」の情報に対応している。また、信号機の近傍には、交差点名などの地名や道路案内や道路の渋滞状況等を示す道路交通情報等が存在する。運転者はそれらの情報を、車両を運転しながら、目で見て得るようにしている。
【０００３】
上記のように、信号機の点灯状態や信号機の近傍に設けられた道路交通情報等を目で見て確認する場合には、車両が走行しているために、見落としてしまう可能性もある。特に、夜間においてかなり接近するまで読み取りが困難であるという問題がある。
【０００４】
この問題点を解決しようとする装置が特許文献１に開示されている。その装置は、信号機の発光器の光を変調する変調手段を備え、道路交通情報等をその変調手段で発光器の光に変調することによってのせることにより、車両に送るようにしている。
【特許文献１】特開平８−７１９３号公報
【発明の開示】
【発明が解決しようとする課題】
【０００５】
特許文献１で開示されるような装置の場合、車両が一つの信号機から情報を取得している途中に通り過ぎてしまった場合、情報を完全に得ることができなくなってしまうという問題点がある。
【０００６】
また、目視により情報を得る場合、信号機に頼りすぎて、横断歩道を横断している歩行者に気が付かなくなる可能性もある。また、逆に、横断歩道を横断する歩行者は、信号機の点灯状態に頼りすぎて、曲がって横断歩道に進入してくる車両に気が付かなくなる可能性もある。さらに、夜間などは、自転車、歩行者、車椅子は、車両に乗っている運転者には気がつかれない可能性もある。また、目視により情報を得る場合、合流点で合流してくる車両に気が付かない可能性もある。
【０００７】
本発明の目的は、上記課題に鑑み、車両が一つの信号機から情報を取得している途中に通り過ぎてしまった場合でも情報を完全に得ることができ、また、歩行者や自転車や車椅子や車両が安全に通ることができる交通システムを提供することにある。
【課題を解決するための手段】
【０００８】
本発明に係る交通システムは、上記の目的を達成するために、次のように構成される。
【０００９】
第１の交通システム（請求項１に対応）は、信号機の情報を信号機と車両との間で光通信を利用して車両に送る交通システムであって、車両は、複数の信号機から光通信を行う一つの信号機を選択する信号機選択手段と、複数の信号機のうちの一つの信号機との光通信を行うための車載光信号送受信手段とを備え、信号機は、信号機情報を信号機から発せられる光にのせる光変調手段とを備えることで特徴づけられる。
【００１０】
第２の交通システム（請求項２に対応）は、上記の構成において、好ましくは信号機選択手段は、車両が進行方向前の信号機との通信が未完了のとき、通過後の後方の信号機を選択することで特徴づけられる。
【００１１】
第３の交通システム（請求項３に対応）は、上記の構成において、好ましくは信号機選択手段は、車両から前方に複数の信号が見えるとき、カーナビゲーション装置のデータを利用して直近の信号機を選択することで特徴づけられる。
【００１２】
第４の交通システム（請求項４に対応）は、上記の構成において、好ましくは信号機情報は、信号点灯時間であり、車両は、車速と信号点灯時間に基づいて、安全に通過できるかどうかを判断する判断手段を備えたことで特徴づけられる。
【００１３】
第５の交通システム（請求項５に対応）は、上記の構成において、好ましくは信号機情報は、信号機の緯度経度であることで特徴づけられる。
【００１４】
第６の交通システム（請求項６に対応）は、上記の構成において、好ましくは信号機情報は、位置情報または方向情報であることで特徴づけられる。
【００１５】
第７の交通システム（請求項７に対応）は、上記の構成において、好ましくは信号機情報は、走行レーン毎の車種、制限速度情報であることで特徴づけられる。
【００１６】
第８の交通システム（請求項８に対応）は、情報を信号機と車両との間で光通信を利用して車両に送る交通システムであって、車両は、複数の信号機から光通信を行う一つの信号機を選択する信号機選択手段と、複数の信号機のうちの一つの信号機との光通信を行うための車載光信号送受信手段とを備え、信号機は、横断歩道通行中の歩行者を検知する歩行者情報検知手段と、歩行者情報検知手段で検知した歩行者情報を信号機から発せられる光にのせる光変調手段と、車両からの光信号を受信する光信号受信手段とを備えることで特徴づけられる。
【００１７】
第９の交通システム（請求項９に対応）は、車両の情報を信号機を経由して歩行者、視覚障害者に通知する交通システムであって、車両は、ハンドル操作を検出するハンドル操作検出手段と、ハンドル操作検出手段により検出されたハンドル操作情報を無線で信号機に送信するハンドル操作情報送信手段とを備え、信号機は、車両から送信されたハンドル操作情報を受信するハンドル操作情報受信手段と、ハンドル操作情報受信手段で受信されたハンドル操作情報を歩行者、視覚障害者に知らせる車両情報通知手段を備えたことで特徴づけられる。
【００１８】
第１０の交通システム（請求項１０に対応）は、自転車、歩行者、車椅子の存在を車両の運転者に通知する交通システムであって、自転車、歩行者、車椅子は、その存在情報を発する存在通知発信手段を備え、車両は、存在通知発信手段から送られた存在情報を受信する存在情報受信手段を備えたことで特徴づけられる。
【００１９】
第１１の交通システム（請求項１１に対応）は、合流点で合流車がある場合には、車両に通知する交通システムであって、合流点には、合流車両を検知する合流車両検知手段と合流車両検知手段で検知された合流車両情報を送信する合流車両情報送信手段とを設け、車両は、合流車両情報を受信する合流車両受信手段を備えたことで特徴づけられる。
【発明の効果】
【００２０】
第１の交通システムによれば、車両の信号機選択部によって光通信を行う信号機を選択し、選択された信号機と車載光信号送受信部との間で、変調された信号機からの光を介して光通信を行うため、車両は、確実に信号機からの情報を得ることができる。
【００２１】
第２の交通システムによれば、信号機選択部により、車両が進行方向前の信号機との通信が未完了のとき、通過後の後方の信号機を選択して、光通信を継続することができるので、車両は、確実に信号機からの情報を得ることができる。
【００２２】
第３の交通システムによれば、信号機選択部により、車両の前方に複数の信号機が見えるとき、カーナビゲーション装置のデータを利用して直近の信号機を選択して光通信を行うので、車両は、確実に信号機からの情報を得ることができる。
【００２３】
第４の交通システムによれば、信号機から信号点灯時間に関する情報が得られ、車両は、判断手段により、得られた信号点灯時間と車速に基づいて、安全に通過できるかどうか判断するので、より安全な交通システムを得ることができる。
【００２４】
第５の交通システムによれば、信号機から光通信により緯度経度の情報を得ることができるので、運転者は容易に車両の現在位置を知ることができる。
【００２５】
第６の交通システムによれば、信号機から光通信により位置情報または方向情報を得ることができるので、運転者は容易に車両の現在の位置あるいは方向を知ることができる。
【００２６】
第７の交通システムによれば、信号機から光通信により走行レーン毎の車種、制限速度情報を得ることができるので、運転者は容易に走行レーン毎の車種、制限速度を知ることができる。
【００２７】
第８の交通システムによれば、信号機から横断歩道通行中の歩行者の情報を光通信により得ることができるので、運転者は、容易に横断歩道通行中の歩行者がいることを知ることができ、安全性をより高めた交通システムを構築することができる。
【００２８】
第９の交通システムによれば、歩行者、視覚障害者は、車両情報通知装置によって、車両を運転している運転者のハンドル操作についての情報を得ることができるので、歩行者、視覚障害者は、より安全に通行することができる。
【００２９】
第１０の交通システムによれば、車両は、自転車、歩行者、車椅子に備えられた存在通知発信手段によって発せられた存在情報を存在情報受信手段により受信することにより、自転車、歩行者、車椅子の存在情報を得ることができるので、車両を運転している運転者は、容易に、自転車、歩行者、車椅子の存在を知ることができ、より安全な交通システムを構築することができる。
【００３０】
第１１の交通システムによれば、合流点に、合流車両を検知する合流車両検知手段があるので、合流車両を検知することができ、その検知された合流車両情報を合流車両情報送信手段によって、車両に送信し、車両は、その合流車両情報を合流車両情報受信手段で得ることができるため、車両を運転している運転者は、容易に合流車両の存在を知ることができ、より安全な交通システムを構築することができる。
【発明を実施するための最良の形態】
【００３１】
以下、本発明の好適な実施形態（実施例）を添付図面に基づいて説明する。
【００３２】
図１は、本発明に係る交通システムの実施形態のシステム構成図である。交通システム１０は、道路と交差点と横断歩道と車両と歩行者と信号機を有している。また、図１には合流点６０も示している。図１は、交通システム１０の一部を示し、道路１１，１２と交差点１３と横断歩道１４，１５，１６，１７と車両１８と歩行者１９と信号機２０，２１，２２，２３を示している。車両１８は、車載システム２４を備えている。また、歩行者１９は、歩行者用無線発信器２５を備えている。さらに、信号機２０，２１，２２，２３は、それぞれ車両用信号灯２０−１，２１−１，２２−１，２３−１と歩行者用信号灯２０−２，２１−２，２２−２，２３−２と歩行者検知装置２０−３，２１−３，２２−３，２３−３と信号機制御装置２０−４，２１−４，２２−４，２３−４を備えている。また、信号機２０，２１，２２，２３は、それぞれ、ハンドル操作情報受信装置２０−５，２１−５，２２−５，２３−５を備えている。
【００３３】
合流点６０には、合流車両を検知する合流車両検知装置６１と合流車両検知装置６１で検知された合流車両情報を送信する合流車両情報送信装置６２とを設け、車両は、合流車両情報を受信する合流車両受信装置を備えている。
【００３４】
道路１１，１２は、車両や、自転車、歩行者、車椅子が通行するための道である。交差点１３は、道路１１と道路１２が交差するところである。横断歩道１４，１５，１６，１７は、歩行者や車椅子が道路１１あるいは道路１２を横断するための歩道である。車両１８は、自動車であり、バスやトラック等も含んでいる。歩行者１９は、道路を歩行する人であり、図１では、例として横断歩道１４を渡っている様子を示している。
【００３５】
車両１８が備えている車載システム２４は、信号機からの変調された光を受光し、信号機からの情報を受け取り、運転者に知らせる機能と、運転者のハンドル操作の情報を無線で信号機に送信する機能と、自転車や歩行者、車椅子の所有する存在通知発信装置からの信号を受信し、それらの存在を運転者に知らせる機能を実現するためのシステムである。
【００３６】
歩行者１９や、自転車（図示せず）、車椅子（図示せず）の所有する歩行者用無線発信器（存在通知発信装置）２５は、歩行者１９等（自転車、車椅子を含める）が存在するという情報を無線で発信する装置である。
【００３７】
信号機２０，２１，２２，２３は、車両や、自転車、歩行者、車椅子が、そのまま進んでもよいか、止まるかを、青色の点灯、赤色の点灯などで示し、円滑に、また安全に通行できるようにするための装置である。信号機２０，２１，２２，２３のそれぞれの車両用信号灯２０−１，２１−１，２２−１，２３−１は、それぞれ青色発光機、黄色発光機、赤色発光機を備えている。それらのうち、青色発光機が点灯しているときは、車両への「進め」の合図であり、黄色発光機が点灯しているときは、車両への「注意」の合図であり、赤色発光機が点灯しているときは、車両への「止まれ」の合図である。これらの合図により、車両が安全に円滑に通行することができる。また、車両用信号灯２０−１，２１−１，２２−１，２３−１のそれぞれの青色発光機、黄色発光機、赤色発光機は、光を変調することによって後述の情報をのせて車両に送るようにしている。これにより、車両に乗っている人は、「進め」、「注意」、「止まれ」という目視による情報以外の情報も信号機から得ることができる。
【００３８】
信号機２０，２１，２２，２３のそれぞれの歩行者用信号灯２０−２，２１−２，２２−２，２３−２は、それぞれ青色発光機、赤色発光機を備えている。それらのうち、青色発光機が点灯しているときは、歩行者や車椅子などへの「進め」の合図であり、赤色発光機が点灯しているときは、歩行者や車椅子などへの「止まれ」の合図である。また、青色発光機が点滅しているときは、歩行者や車椅子などへの「注意」の合図である。これらの合図により、歩行者や車椅子が円滑に、また安全に通行することができる。また、歩行者用信号灯は、文字や絵が表示されるようになっており、車両の運転者がハンドル操作を行ったという情報を表示できるようになっている。さらに、信号機２０，２１，２２，２３は、音声発生装置（図示せず）を備えており、車両の運転者がハンドル操作を行ったという情報を音声発生装置から音声を発生して歩行者や車椅子に乗っている人に知らせるようになっている。これにより、歩行者等は、歩行者用信号灯を見ているときでも、車両が曲がってくるかどうかを知ることができ、安全に、また円滑に横断歩道を渡ることができる。
【００３９】
歩行者検知装置２３−３，２０−３，２１−３，２２−３は、それぞれ横断歩道１４，１５，１６，１７を渡っている歩行者等（車椅子も含む）を検知する装置である。
【００４０】
信号機制御装置２０−４，２１−４，２２−４，２３−４は、それぞれ同一の構成であり、図２のブロック図で示すような構成をしており、信号機制御装置３０と符号を付している。信号機制御装置３０は、信号機制御部３１と光通信制御部３２と記憶装置３３とＣＰＵ３４とハンドル操作情報受信装置３５と車両情報通知装置３６を備えている。ＣＰＵ３４は、信号機制御部３１と光通信制御部３２と記憶装置３３とハンドル操作情報受信装置３５と車両情報通知装置３６を制御する。信号機制御部３１は、車両用信号灯２０−１，２１−１，２２−１，２３−１のそれぞれの青色発光機、黄色発光機、赤色発光機（図２では、簡略して車両用信号灯３７と記す）と歩行者用信号灯２０−２，２１−２，２２−２，２３−２のそれぞれの青色発光機、赤色発光機（図２では、簡略して歩行者用信号灯３８と記す）の点滅を制御する。光通信制御部３２は、車両用信号灯２０−１，２１−１，２２−１，２３−１のそれぞれの青色発光機、黄色発光機、赤色発光機（車両用信号灯３７）から発する光を変調し、信号点灯時間、信号機の緯度経度、位置情報、方向情報、走行レーン毎の車種の情報、制限速度の情報と、歩行者検知装置で検知された歩行者の存在の情報を載せるための制御を行う。ハンドル操作情報受信装置２０−５，２１−５，２２−５，２３−５（図２では、符号３５を付している）は、車両から送信されるハンドル操作情報を受信する装置である。車両情報通知装置３６は、ハンドル操作情報受信装置３５によって受信されたハンドル操作情報を歩行者用信号灯３８で表示することと音声発生装置（図示せず）で音声を発する制御を行う。
【００４１】
図３は、信号機から発せられる光信号に変調されることによりのせてある情報のデータ構造を示す。データはデータの開始を示す開始データとデータ１〜５とデータの終了を示す終了データからなる。データ１は、信号点灯時間、データ２は、信号機の緯度経度、データ３は、位置情報、方向情報、データ４は、歩行者検知情報、データ５は、走行レーン毎の車種、制限速度情報である。
【００４２】
図４は、車両１８の車載システム２４の概略図である。また、図５は、車載システム２４のブロック図である。車載システム２４は、車載端末装置４０とＧＰＳレシーバ４１と無線通信アンテナ４２と光信号送受信機４３とハンドル操作検知器４４とドライバーズインターフェイス４５を備えている。
【００４３】
車載端末装置４０は、ＧＰＳレシーバ４１からの信号を処理し、車両１８の現在位置を知らせ、カーナビゲーションの機能をはたすための信号処理を行う。また、車載端末装置４０は、無線通信アンテナ４２からの信号を処理し、自転車、歩行者、車椅子の存在情報を表示装置４６に表示させたり、音声発生装置（図示せず）で音声を発する処理を行う。さらに、車載端末装置４０は、ハンドル操作検知器４４からの信号を処理し、ハンドル操作情報をのせた信号を無線通信アンテナ４２から発信する処理を行う。また、車載端末装置４０は、光信号を受信すべき信号機を選択し、その選択した信号機からの光信号を光信号送受信機４３で受信し、その光信号から信号機の情報を処理し、信号点灯時間、信号機の緯度経度、信号機の位置情報、方向情報、走行レーン毎の車種の情報、制限速度情報、歩行者情報を表示装置４６で表示し、音声発生装置で音声を発する処理を行う。
【００４４】
ＧＰＳレシーバ４１は、複数の人工衛星であるＧＰＳ衛星（図示せず）からのＧＰＳ用シグナルを受信するための装置である。このＧＰＳレシーバ４１により受信されたＧＰＳ衛星からのシグナルにより、位置を数十ｍの精度で特定できる。
【００４５】
無線通信アンテナ４２は、自転車、歩行者、車椅子が所有する存在通知発信装置２５からの無線通信を受信し、また、ハンドル操作情報をのせた信号を無線で送信する。
【００４６】
光信号送受信機４３は、信号機選択部５２（図６参照）によって選択した信号機からの光信号を受信する装置である。
【００４７】
ハンドル操作検知器４４は、車両の運転者のハンドル操作を検知する装置である。
【００４８】
ドライバーズインターフェイス４５は、表示装置４６と音声発生装置を備えており、車両位置特定装置５４（図６参照）によって特定された車両の位置を表示するとともに、自転車、歩行者、車椅子の存在情報を表示装置４６に表示させ、音声発生装置（図示せず）で音声を発する。また、表示装置４６は、信号機の情報である信号点灯時間、信号機の緯度経度、信号機の位置情報、方向情報、走行レーン毎の車種の情報、制限速度情報、歩行者情報を表示し、音声発生装置は、それらの情報を音声で知らせる。
【００４９】
図６は、車載端末装置４０のブロック図である。車載端末装置４０は、ＣＰＵ５０と光通信処理部５１と信号機選択部５２と無線通信処理部５３と車両位置特定部５４と記憶装置５５を備えている。ＣＰＵ５０は、光通信処理部５１と信号機選択部５２と無線通信処理部５３と車両位置特定部５４と記憶装置５５の制御を行うものである。
【００５０】
光通信処理部５１は、光信号受信機４３によって受信した信号機からの光信号を処理し、信号機の情報である信号点灯時間、信号機の緯度経度、信号機の位置情報、方向情報、走行レーン毎の車種の情報、制限速度情報、歩行者情報を抽出し、それらの情報をＣＰＵ５０を介して、ドライバーズインタフェース４５に送る。
【００５１】
信号機選択部５２は、光信号受信機４３で受信する光信号を発する信号機を選択する装置である。この信号機選択部５２からの命令により光信号受信機４３は、その受光部（図示せず）を選択された信号機の方向に向ける。例えば、信号機選択部５２は、車両が進行方向前の信号機との通信が未完了のとき、通過後の後方の信号機を選択する。また、信号機選択部５２は、車両から前方に複数の信号が見えるとき、カーナビゲーション装置のデータを利用して直近の信号機を選択する。
【００５２】
無線通信処理部５３は、存在情報抽出部を備え、存在情報抽出部は、無線通信アンテナ４２によって受信した自転車、歩行者、車椅子が所有する存在通知発信装置からの無線通信信号から存在情報を抽出し、ＣＰＵ５０を介してドライバーズインタフェース４５に送る。この無線通信アンテナ４２と存在情報抽出部によって存在情報受信部を構成する。また、無線通信処理部５３は、ハンドル操作情報処理部を備え、そのハンドル操作情報処理部は、ハンドル操作情報をのせた信号を無線通信アンテナ４２を介して無線で送信する。このハンドル操作情報処理部と無線通信アンテナ４２によってハンドル操作情報送信部を構成する。
【００５３】
車両位置特定装置５４は、車両の位置を特定し、特定した位置を時間毎に記憶するための装置である。車両位置特定装置５４は、ＧＰＳレシーバ４１と接続されており、ＧＰＳレシーバ４１により受信した複数のＧＰＳ衛星からのＧＰＳ用シグナルに基づいて車両の緯度、経度を正確に特定することができる。
【００５４】
記憶装置５５は、信号機選択部５２により信号機を選択するためのカーナビゲーション装置用の地図情報データを記憶している。また、光通信処理部５１、無線通信処理部５３によって得られた各データを記憶する。
【００５５】
次に本実施形態の交通システムでの車両、信号機、歩行者等の動作を説明する。
【００５６】
車両、歩行者、自転車、車椅子は、道路を通行する。
【００５７】
信号機２０，２１，２２，２３に備えられた信号機制御装置３０は、信号機制御部３１により通常の信号機の点灯を記憶装置に記憶されたタイムスケジュールにしたがって行う。交差点では、車両、歩行者、自転車、車椅子は、信号機２０，２１，２２，２３の車両用信号灯３７の指示と歩行者用信号灯３８の指示に従って通行する。
【００５８】
また、信号機２０，２１，２２，２３の信号機制御装置３０は、光通信制御部３２によって、緯度経度、位置情報、歩行者検知部によって検知した情報から図３で示すデータ構造のデータを生成し、その生成されたデータを光変調によりのせる。それにより、信号機からの光は、図３で示したデータ構造のデータがのせられた光が発せられている。
【００５９】
このデータには、歩行者が横断歩道を渡っているときには、信号機の歩行者検知部によって歩行者が検知されたときは、歩行者情報が載せられている。
【００６０】
車両は、信号機選択部５２によって複数の信号機から光通信を行う一つの信号機を選択する。車両から前方に複数の信号が見えるとき、カーナビゲーション装置のデータを利用して直近の信号機を選択する。光信号受信部４３によって、選択した信号機との光通信を行う。その光通信により、信号機の情報である信号点灯時間、信号機の緯度経度、信号機の位置情報、方向情報、走行レーン毎の車種の情報、制限速度情報、歩行者情報をドライバーズインタフェース４５の表示装置で表示し、あるいは、音声で流す。
【００６１】
この光通信を行っているとき、車両が進行方向前の信号機との通信が未完了のとき、信号機選択部５２は、通過後の後方の信号機を選択する。そして、その後方の信号機との光通信を行い、通信を完了させる。
【００６２】
また、車両は、自転車、歩行者、車椅子が所有する存在通知発信装置２５から存在通知情報が送られたら警報を発する。
【００６３】
交差点で車両に乗っている運転者がハンドル操作を行ったとき、ハンドル操作の情報が無線で送信され、信号機は、その情報を受け、歩行者用信号灯３８で車両がハンドルを操作したという情報を表示し、また、音声で警告する。
【００６４】
合流点６０では、合流する車両がある場合には、その合流車両を合流車両検知装置６１が検知し、その合流車両情報を合流車両情報送信装置６２が送信し、車両は、その合流車両の情報を無線通信アンテナ４２と車載端末装置４０からなる合流車両受信装置によって受け、表示装置４６に表示し、音声で知らせる。
【００６５】
上記の交通システムにより、車両が一つの信号機から情報を取得している途中に通り過ぎてしまった場合でも情報を完全に得ることができ、また、歩行者や自転車や車椅子や車両が安全に通ることができる。
【００６６】
なお、本実施形態において、車両情報通知装置３６は、ハンドル操作情報受信装置３５によって受信されたハンドル操作情報を歩行者用信号灯３８で表示することと音声発生装置で音声を発する制御を行うようにしているが、それに加えて、車両情報通知装置３６に無線送信機能を持たせ、歩行者や視覚障害者の持つ携帯通信端末にハンドル操作情報を無線で送り、その携帯通信端末で通知するようにしても良い。
【産業上の利用可能性】
【００６７】
本発明は、車両、歩行者等が円滑に安全に通行することができる交通システムとして利用される。
【図面の簡単な説明】
【００６８】
【図１】本発明に係る交通システムの実施形態の構成図である。
【図２】信号機制御装置のブロック図である。
【図３】信号機の光通信に用いられるデータ構造を示す図である。
【図４】車載システムの構成図である。
【図５】車載システムのブロック図である。
【図６】車載端末装置のブロック図である。
【符号の説明】
【００６９】
１０          交通システム
１１，１２    道路
１３          交差点
１４，１５，１６，１７    横断歩道
１８          車両
１９          歩行者
２０，２１，２２，２３    信号機
２４          車載システム
２５          歩行者用無線発信器
【図１】
2007079722.tif 000003
【図２】
2007079722.tif 000004
【図３】
2007079722.tif 000005
【図４】
2007079722.tif 000006
【図５】
2007079722.tif 000007
【図６】
2007079722.tif 000008